(57)【要約】【課題】  棚板を引き出すことで棚板に陳列する商品等の出し入れが容易に行え、スライド機構部が外部に露出せず且つコンパクトにできる陳列棚の提供。【解決手段】  棚板１と、棚板１を支持する左右のブラケット２，２とを備え、ブラケット２は水平な支持片３を有し、棚板１の下面とブラケットの支持片３間に設けたスライド機構部４により棚板１を引き出し可能としてあり、スライド機構部４は、棚板１及びブラケット２の支持片３の何れか一方に設けた係合突部５と、他方に設けてあり係合突部５が係合する前後方向のスリット６とで構成してある。【選択図】      図１
2010284287.tif 000002
【特許請求の範囲】
【請求項１】
棚板と、棚板を支持する左右のブラケットとを備え、ブラケットは水平な支持片を有し、棚板の下面とブラケットの支持片間に設けたスライド機構部により棚板を引き出し可能としてあり、スライド機構部は、棚板及びブラケットの支持片の何れか一方に設けた係合突部と、他方に設けてあり係合突部が係合する前後方向のスリットとで構成してあることを特徴とする陳列棚。
【請求項２】
支持片の上面又は棚板の下面に滑り部を設けてあることを特徴とする請求項１記載の陳列棚。
【請求項３】
スリットの前後何れか一方の端部に、棚板を後退させた位置で係合突部を抜き差しできる抜差し自在部を設けたことを特徴とする請求項１又は２記載の陳列棚。
【発明の詳細な説明】
【技術分野】
【０００１】
本発明は、商品等を陳列する陳列棚に関する。
【背景技術】
【０００２】
コンビニエンスストア等に設置されている従来の煙草販売用の什器は、棚板が左右の側板に固定して取付けてあり、棚板には煙草を銘柄ごとに前後方向に並べて収容するプラスチック製のケースが横並びに多数陳列され、ケースの後部には煙草を前方に押し出すバネを有しており、店員は客の注文に応じて煙草をケースの前方から１個ずつ取り出している。
時々、客が同じ銘柄の煙草を複数注文することがあるが、そんなときでも煙草を前方から一つずつ取り出す必要があり、煙草の取出しに手間取っていた。
【０００３】
一般の家具においては、図７に示すように、棚板９０の側面と側板９１，９１との間にスライドレール９２，９２を介在させ、棚板９０を前方にスライドできるようにしたものもある。しかしこの構造であると、スライドレール９２，９２の幅分だけ棚板９０の幅が狭くなり、棚板９０に陳列できる商品等が少なくなる上、棚板９０上の商品等が棚板９０と側板９１との間の隙間に嵌まり込む不都合もある。また棚板９０を引き出したときに、棚板９０の側面にスライドレール９２，９２が露出するため、見た目が悪い。さらに、このようにスライドレール９２，９２を介在させた場合、棚板９０の着脱が困難になる。
【０００４】
特許文献１には、ショーケースの棚構造として、上面が開放した浅い箱状の棚受け部材９と、棚受け部材９の上方に配置した板状の棚部材１０とを有し、棚受け部材９の上面と棚部材１０の下面間に、複数のローラー９ｂ，１０ｂとローラーガイド９ａ等からなるスライド機構を設けて、棚部材１０を引き出せるようにしたものが記載されている。この構造によれば、棚部材１０を引き出したときにスライド機構が見えないが、棚受け部材９のせいで実質的に棚板の厚みが２倍になり、商品を陳列するのに棚受け部材９が邪魔になる。また、棚部材１０を取外すこともできない。
【先行技術文献】
【特許文献】
【０００５】
【特許文献１】特開２０００−１３９６４１
【発明の概要】
【発明が解決しようとする課題】
【０００６】
本発明は以上に述べた実情に鑑み、棚板を引き出すことで棚板に陳列する商品等の出し入れが容易に行え、スライド機構部が外部に露出せず且つコンパクトにできる陳列棚の提供を目的とする。
【課題を解決するための手段】
【０００７】
上記の課題を達成するために請求項１記載の発明による陳列棚は、棚板と、棚板を支持する左右のブラケットとを備え、ブラケットは水平な支持片を有し、棚板の下面とブラケットの支持片間に設けたスライド機構部により棚板を引き出し可能としてあり、スライド機構部は、棚板及びブラケットの支持片の何れか一方に設けた係合突部と、他方に設けてあり係合突部が係合する前後方向のスリットとで構成してあることを特徴とする。
【０００８】
請求項２記載の発明による陳列棚は、請求項１記載の発明の構成に加え、支持片の上面又は棚板の下面に滑り部を設けてあることを特徴とする。
【０００９】
請求項３記載の発明による陳列棚は、請求項１又は２記載の発明の構成に加え、スリットの前後何れか一方の端部に、棚板を後退させた位置で係合突部を抜き差しできる抜差し自在部を設けたことを特徴とする。
【発明の効果】
【００１０】
請求項１記載の発明による陳列棚は、棚板の下面とブラケットの支持片間に設けたスライド機構部により棚板を引き出し可能としたので、棚板を引き出すことで商品等の出し入れが容易に行え、しかも棚板を引き出したときでもスライド機構部が外部に露出しない。また、スライド機構部により棚板の幅が狭められず、陳列棚の間口いっぱいに商品等を陳列できる。スライド機構部は、棚板及びブラケットの支持片の何れか一方に設けた係合突部と、他方に設けてあり係合突部が係合する前後方向のスリットとで構成したので、構造が簡単で安価に製作できると共に、スライド機構部の厚みを小さくできるためスライド機構部が邪魔にならず、意匠性も良い。
【００１１】
請求項２記載の発明による陳列棚は、支持片の上面又は棚板の下面に滑り部を設けてあるため、棚板を軽くスライドできる。
【００１２】
請求項３記載の発明による陳列棚は、棚板を後退させた位置で上に持ち上げると、係合突部がスリット端部に設けた抜差し自在部から抜けるので、棚板を簡単に取外すことができる。棚板を取付ける際も、棚板を奥まで差し入れてブラケットの支持片に載せるだけで簡単に取付けできる。棚板を引き出した状態では、係合突部がスリットに係合しているため、棚板が外れない。
【図面の簡単な説明】
【００１３】
【図１】（ａ）は図２のＣ−Ｃ断面図であり、（ｂ）は同じ位置における棚板を引き出した状態での断面図である。
【図２】図５のＢ−Ｂ断面図である。
【図３】図２のＤ−Ｄ断面図である。
【図４】スライド棚の分解斜視図である。
【図５】（ａ）本発明の陳列棚の一実施形態に係る煙草販売用什器の正面図であり、（ｂ）はＡ−Ａ断面図である。
【図６】スライド棚の他の実施形態を示す分解斜視図である。
【図７】従来のスライド棚の例を示す左右方向の縦断面図である。
【発明を実施するための形態】
【００１４】
以下、本発明の実施の形態を図面に基づいて説明する。図５は、本発明の陳列棚の一実施形態であって、コンビニエンスストア等に設置される煙草販売用什器を示している。本什器は、棚本体９と、棚本体９上に設けたサイン部１０とを有している。棚本体９は、最上段に固定式の棚１１を有し、その下方に棚板１を前方に引き出せるスライド棚８を複数段設けてある。スライド棚８の棚板１には、煙草１２を銘柄毎に前後方向に並べて収容するケース１３が、横並びに多数設置される。ケース１３には、煙草１２を前方に押し出す機構を有している。
サイン部１０は、前面に設置したサインボード１４が、内部に設置した蛍光灯等の光源１５により発光するものである。
【００１５】
以下、スライド棚８の構造について詳細に説明する。スライド棚８は、図２〜４に示すように、左右の側板１６，１６の内側面に取付けた左右のブラケット２，２と、左右のブラケット２，２により支持される棚板１とを備えている。
ブラケット２は、図３，４に示すように、垂直な取付け片１７と水平な支持片３とで断面Ｌ字形に形成され、取付け片１７を側板１６にネジ１８で固定してある。取付け片１７の上縁は、棚板１の上面よりも上に位置している。支持片３は、図２，４に示すように、前後方向の中間部が側方に飛び出ており、その飛び出た部分の前部に係合突部５が上方に突出して設けてある。係合突部５は、図３に示すように、垂直な同軸上に大径部１９と、その下方に設けた小径部２０とを有している。また係合突部５は、下部にネジ部２１が設けてあり、ネジ部２１をブラケット２の支持片３に形成した孔２２に上方より挿入し、袋ナット２４を下方よりネジ部２１に螺合して固定してある。支持片３の上面と取付け片の内側面には、前後方向の略全長に亘って敷居スベリ２３ａ，２３ｂを貼り付けてある。左右のブラケット２，２は、左右の側板１６，１６のどちらにも取付けできるように前後対称形となっており、係合突部５を取付けるための孔２２も前後２箇所に設けてある。
【００１６】
棚板１は、木材で形成したものであり、図３，４に示すように、左右の側部の裏面側に係合突部５の大径部１９よりも広い幅で溝２５が前後方向に形成してあり、その溝２５を塞ぐように座板２６をネジ２７で取付けてある。座板２６は、前後方向に長い長方形の金属製の板で形成したものであり、図２，４に示すように、幅方向の中央部に係合突部５の小径部２０よりも若干広い幅で前後方向にスリット６が形成してあり、スリット６の前端部には係合突部５の大径部１９よりも大径の孔状の抜き差し自在部７が、スリット６に連続して設けてある。この棚板１の裏面に取付けた座板２６と、ブラケット２の係合突部５とで、棚板１を引き出せるようにするためのスライド機構部４を構成している。
棚板１の前部と後部には、アングル状のカバー材２８，２９がそれぞれ取付けてあり、図１（ａ）に示すように、これらのカバー材２８，２９に係止させることで、棚板１上に載置した煙草を収納したケース１３が前後に滑り落ちないようにしている。
【００１７】
棚板１は、図１（ａ）と図２に示すように、前面が側板１６とほぼ同面となる位置まで左右の側板１６，１６間に差し入れてから、係合突部５の大径部１９を座板２６のスリット６前端部の抜き差し自在部７より挿入するようにして、左右の座板２６，２６を左右のブラケット２，２の支持片３，３上に載せることで、支持片３，３により安定して支持される。
棚板１は、図１（ｂ）に示すように手で容易に引き出すことができ、引出し時には係合突部５の小径部２０が座板２６のスリット６に係合してガイドされ、且つ大径部１９により抜け止めされているため、安定して引き出すことができる。このように棚板１を引き出すことで、煙草１２を複数個わしづかみにすることができ、同じ銘柄の煙草１２を複数個注文されたときに煙草１２の取出しに手間取らない。棚板１の引き出せる長さは、１５０ｍｍとしてある。ブラケット２の取付け片１７の内側面と支持片３の上面とに敷居スベリ２３ａ，２３ｂが貼り付けてあるため、棚板１を軽く引き出すことができる。ブラケット２の取付け片１７の上縁が棚板１の上面より上に位置していることで、棚板１の両端に陳列した陳列物（煙草を収容したケース１３）が取付け片１７の上に載らないため、棚板１を引き出したときに全ての陳列物を前に出せる。
棚板１を取外すときは、棚板１を奥までスライドさせて上に持ち上げるだけで、簡単に取外すことができる。
【００１８】
以上に述べたように本スライド棚８は、ブラケット２の支持片３に突設した係合突部５と、棚板１の裏面に取付けられ係合突部５と係合するスリット６を有する座板２６とでスライド機構部４を構成したので、図３に示すように、棚板１の側面と側板１６との隙間Ｓを小さくすることができ、側板１６，１６間の間口いっぱいに商品を陳列できると共に、棚板１を引き出したときでもスライド機構部４が見えず、体裁が良い。またこのようなスライド機構部４は、ボールベアリング等の複雑で高精度の部品を用いないため、構造が簡単で安価に製作することができると共に、壊れにくい。しかもスライド機構部４の厚みが小さいので、スライド機構部４が商品の陳列や取出しの邪魔にならず、スライド棚８の意匠性も向上できる。支持片３の上面に敷居スベリ２３ｂが貼り付けてあるため、棚板１を軽く前後にスライドできる。また、係合突部５が前の方の位置に設けてあるため、棚板１を引き出したときや棚板１の前部に上向きの力が掛かったときでも、係合突部５に大きな引き抜き力が働かず、係合突部５やスリット６が破損するのを防止できる。さらに、座板２６のスリット６の前端部に、係合突部５を抜き差しできる抜き差し自在部７を設けてあるため、棚板１を後退させた位置で持ち上げたり下ろしたりするだけで棚板１を簡単に着脱できる。棚板１を引き出すことで煙草１２の取出しが容易になり、棚板１を引き出した時には係合突部５がスリット６から抜けないため、棚板１が外れることがない。
【００１９】
図６は、スライド棚８のスライド機構部４の他の実施形態を示している。本実施形態のものは、棚板１の両サイドの裏面後側の位置に係合突部５を下方に突出して設け、ブラケット２の支持片３に係合突部５が係合するスリット６を前後方向に設けると共に、スリット６の後端部に係合突部５を抜き差しできる抜き差し自在部７を設けている。このように構成した場合も、図１等に示すものと同様に、棚板１を前方に引き出せると共に、棚板１を後退させた位置で着脱することができる。
本実施形態によれば、棚板１に座板２６を設ける必要がないため、先の実施形態のものと比べてコストをより削減できる利点がある。
【００２０】
本発明は以上に述べた実施形態に限定されない。係合突部の形状は適宜変更することができ、係合突部が前後方向にスライド自在に係合する部材は、その係合突部の形状に合わせて形成すればよく、板にスリットを形成したものに限らず、溝形のレール等を用いることもできる。係合突部を抜き差しできる抜き差し自在部は、必ずしもなくてもよい。棚板の形状や材質は任意であり、スチール製とすることもできる。ブラケットに敷居スベリを貼る代わりに、滑りの良い塗料を塗ってもよい。また、棚板の下面と側面とに敷居スベリを貼ったり滑りの良い塗料を塗ったりしてもよい。棚の形態としては、左右のブラケットを側板で支持するのではなく、ゴンドラのような支柱からブラケットを持ち出し支持したものであってもよい。陳列棚の用途は、特に限定されるものではなく、様々な商品を陳列・販売する什器の他、本棚等の家具であってもよい。
【符号の説明】
【００２１】
１  棚板
２  ブラケット
３  支持片
４  スライド機構部
５  係合突部
６  スリット
７  抜き差し自在部
８  スライド棚
２３ａ，２３ｂ  敷居スベリ（滑り部）
【図１】
2010284287.tif 000003
【図２】
2010284287.tif 000004
【図３】
2010284287.tif 000005
【図４】
2010284287.tif 000006
【図５】
2010284287.tif 000007
【図６】
2010284287.tif 000008
【図７】
2010284287.tif 000009